【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
被写体の光学像を画像データに変換する撮像手段と、
前記撮像手段により得られる異物検出用画像データから、通常撮影時の撮影画像データを補正するための補正データを作成する補正データ作成手段と、
前記撮像手段よりも被写体側に配置される光学素子に付着した異物を除去する異物除去手段と、
前記異物除去手段により異物除去動作が実行された場合には、前記異物除去動作が実行される前に作成された補正データを削除することなく、前記異物除去動作が実行される前に作成された補正データと、前記異物除去動作を実行した後に前記撮像手段によって変換される画像データとの関連付けを禁止し、前記異物除去動作を実行した後に作成された補正データと、前記異物除去動作を実行した後に前記撮像手段によって変換される画像データとの関連付けを行う制御手段と、
を有することを特徴とする撮像装置。
【請求項２】
被写体の光学像を画像データに変換する撮像手段と、
前記撮像手段により得られる異物検出用画像データから、通常撮影時の撮影画像データを補正するための補正データを作成する補正データ作成手段と、
前記撮像手段よりも被写体側に配置される光学素子に付着した異物をユーザに除去させるための異物除去モードを設定する設定手段と、
前記異物除去モードが実行された場合には、前記異物除去モードが実行される前に作成された補正データを削除することなく、前記異物除去モードが実行される前に作成された補正データと、前記異物除去モードを実行した後に前記撮像手段によって変換される画像データとの関連付けを禁止し、前記異物除去モードを実行した後に作成された補正データと、前記異物除去モードを実行した後に前記撮像手段によって変換される画像データとの関連付けを行う制御手段と、
を有することを特徴とする撮像装置。
【請求項３】
前記撮像装置は更に、前記補正データ作成手段によって補正データが作成されてからの通常撮影の回数をカウントするカウント手段と、
前記カウント手段によるカウント数が所定数を越える場合に、ユーザに新たな補正データを作成するように警告する警告手段とを有することを特徴とする請求項１又は２に記載の撮像装置。
【請求項４】
前記撮像装置は更に、前記制御手段により関連付けられた補正データを用いて前記撮像手段によって変換された画像データを補正する補正手段を有することを特徴とする請求項１乃至３のいずれか１項に記載の撮像装置。
【請求項５】
被写体の光学像を画像データに変換する撮像手段により得られる異物検出用画像データから、通常撮影時の撮影画像データを補正するための補正データを作成する補正データ作成工程と、
前記撮像手段よりも被写体側に配置される光学素子に付着した異物を除去する異物除去工程と、
前記異物除去工程で異物除去動作が実行された場合には、前記異物除去工程が実行される前に作成された補正データを削除することなく、前記異物除去工程が実行される前に作成された補正データと、前記異物除去工程を実行した後に前記撮像手段によって変換される画像データとの関連付けを禁止し、前記異物除去工程を実行した後に作成された補正データと、前記異物除去工程を実行した後に前記撮像手段によって変換される画像データとの関連付けを行う制御工程と、
を有することを特徴とする撮像装置の制御方法。
【請求項６】
被写体の光学像を画像データに変換する撮像手段により得られる異物検出用画像データから、通常撮影時の撮影画像データを補正するための補正データを作成する補正データ作成工程と、
前記撮像手段よりも被写体側に配置される光学素子に付着した異物をユーザに除去させるための異物除去モードを設定する工程と、
前記異物除去モードが実行された場合には、前記異物除去モードが実行される前に作成された補正データを削除することなく、前記異物除去モードが実行される前に作成された補正データと、前記異物除去モードを実行した後に前記撮像手段によって変換される画像データとの関連付けを禁止し、前記異物除去モードを実行した後に作成された補正データと、前記異物除去モードを実行した後に前記撮像手段によって変換される画像データとの関連付けを行う制御工程と、
を有することを特徴とする撮像装置の制御方法。
【請求項７】
請求項５又は６に記載の制御方法をコンピュータに実行させるためのプログラム。
【手続補正２】
【補正対象書類名】明細書
【補正対象項目名】０００９
【補正方法】変更
【補正の内容】
【０００９】
上記目的を達成するために本発明の一態様に係る撮像装置は以下のような構成を備える。即ち、
被写体の光学像を画像データに変換する撮像手段と、
前記撮像手段により得られる異物検出用画像データから、通常撮影時の撮影画像データを補正するための補正データを作成する補正データ作成手段と、
前記撮像手段よりも被写体側に配置される光学素子に付着した異物を除去する異物除去手段と、
前記異物除去手段により異物除去動作が実行された場合には、前記異物除去動作が実行される前に作成された補正データを削除することなく、前記異物除去動作が実行される前に作成された補正データと、前記異物除去動作を実行した後に前記撮像手段によって変換される画像データとの関連付けを禁止し、前記異物除去動作を実行した後に作成された補正データと、前記異物除去動作を実行した後に前記撮像手段によって変換される画像データとの関連付けを行う制御手段とを有することを特徴とする。
【手続補正３】
【補正対象書類名】明細書
【補正対象項目名】００１０
【補正方法】変更
【補正の内容】
【００１０】
上記目的を達成するために本発明の一態様に係る撮像装置は以下のような構成を備える。即ち、
被写体の光学像を画像データに変換する撮像手段と、
前記撮像手段により得られる異物検出用画像データから、通常撮影時の撮影画像データを補正するための補正データを作成する補正データ作成手段と、
前記撮像手段よりも被写体側に配置される光学素子に付着した異物をユーザに除去させるための異物除去モードを設定する設定手段と、
前記異物除去モードが実行された場合には、前記異物除去モードが実行される前に作成された補正データを削除することなく、前記異物除去モードが実行される前に作成された補正データと、前記異物除去モードを実行した後に前記撮像手段によって変換される画像データとの関連付けを禁止し、前記異物除去モードを実行した後に作成された補正データと、前記異物除去モードを実行した後に前記撮像手段によって変換される画像データとの関連付けを行う制御手段とを有することを特徴とする。
【手続補正４】
【補正対象書類名】明細書
【補正対象項目名】００１１
【補正方法】変更
【補正の内容】
【００１１】
上記目的を達成するために本発明の一態様に係る撮像装置の制御方法は以下のような工程を備える。即ち、
被写体の光学像を画像データに変換する撮像手段により得られる異物検出用画像データから、通常撮影時の撮影画像データを補正するための補正データを作成する補正データ作成工程と、
前記撮像手段よりも被写体側に配置される光学素子に付着した異物を除去する異物除去工程と、
前記異物除去工程で異物除去動作が実行された場合には、前記異物除去工程が実行される前に作成された補正データを削除することなく、前記異物除去工程が実行される前に作成された補正データと、前記異物除去工程を実行した後に前記撮像手段によって変換される画像データとの関連付けを禁止し、前記異物除去工程を実行した後に作成された補正データと、前記異物除去工程を実行した後に前記撮像手段によって変換される画像データとの関連付けを行う制御工程とを有することを特徴とする。
【手続補正５】
【補正対象書類名】明細書
【補正対象項目名】００１２
【補正方法】変更
【補正の内容】
【００１２】
上記目的を達成するために本発明の一態様に係る撮像装置の制御方法は以下のような工程を備える。即ち、
被写体の光学像を画像データに変換する撮像手段により得られる異物検出用画像データから、通常撮影時の撮影画像データを補正するための補正データを作成する補正データ作成工程と、
前記撮像手段よりも被写体側に配置される光学素子に付着した異物をユーザに除去させるための異物除去モードを設定する工程と、
前記異物除去モードが実行された場合には、前記異物除去モードが実行される前に作成された補正データを削除することなく、前記異物除去モードが実行される前に作成された補正データと、前記異物除去モードを実行した後に前記撮像手段によって変換される画像データとの関連付けを禁止し、前記異物除去モードを実行した後に作成された補正データと、前記異物除去モードを実行した後に前記撮像手段によって変換される画像データとの関連付けを行う制御工程とを有することを特徴とする。
【手続補正６】
【補正対象書類名】明細書
【補正対象項目名】００６０
【補正方法】変更
【補正の内容】
【００６０】
図７は、撮影画像データと、図２のフローチャートで得られた補正データ７０１との関係を説明する図である。これら撮影画像データと補正データは共に、記録媒体１２６に記憶される。なお、これらのデータは、撮影直後や関連付け時など、マイクロコンピュータ１２８により利用される段階においてはメモリ１１３に置くようにしてもよい。